【手続補正書】
【提出日】平成17年12月16日(2005.12.16)
【手続補正１】
【補正対象書類名】明細書
【補正対象項目名】発明の名称
【補正方法】変更
【補正の内容】
【発明の名称】印刷装置、該装置の制御方法及びプログラム
【手続補正２】
【補正対象書類名】明細書
【補正対象項目名】特許請求の範囲
【補正方法】変更
【補正の内容】
【特許請求の範囲】
【請求項１】  電子メールの送受信が可能な印刷装置であって、
印刷ジョブを受信するジョブ受信手段と、
前記ジョブ受信手段により受信された印刷ジョブに対応し、前記印刷ジョブを識別するための識別情報を含む送信メールを生成するメール生成手段と、
前記メール生成手段により生成された送信メールを特定の送信先に送信するメール送信手段と、
前記メール送信手段により送信された送信メールに対する返信メールを受信するメール受信手段と、
前記メール送信手段により送信された送信メールに含まれていた識別情報と前記メール受信手段により受信された返信メールに含まれている識別情報とが一致する場合、前記識別情報に対応する印刷ジョブの印刷を決定する決定手段とを備えたことを特徴とする印刷装置。
【請求項２】  前記特定の送信先は、前記印刷ジョブ中に含まれる情報に基づき定められることを特徴とする請求項１に記載の印刷装置。
【請求項３】  前記特定の送信先は、携帯電話機のアドレスであることを特徴とする請求項１または２に記載の印刷装置。
【請求項４】  前記メール生成手段は、印刷ジョブ毎に異なる識別情報を設定した送信メールまたは前記特定の送信先毎に異なる識別情報を設定した送信メールの少なくとも１つを生成することを特徴とする請求項１〜３のいずれか１項に記載の印刷装置。
【請求項５】  前記メール生成手段によって前記特定の送信先毎に異なる識別情報を設定した送信メールが生成され、且つ前記メール受信手段によって前記送信先毎に異なる識別情報を設定した送信メールに対する返信メールを受信した場合、前記受信した返信メールに含まれる識別情報に対応する複数の印刷ジョブを出力する出力手段を有することを特徴とする請求項１〜４のいずれか１項に記載の印刷装置。
【請求項６】  前記メール受信手段によって受信された受信メールを解析して、前記受信メールが前記メール送信手段によって送信されたメールに対する返信メールであるか否かを判定する受信メール判定手段を有することを特徴とする請求項１〜５のいずれか１項に記載の印刷装置。
【請求項７】  前記受信メール判定手段は、前記受信メールの送信元を示す情報に、前記メール送信手段によって送信された前記特定の送信先を示す情報が含まれているか否かを判定することにより、前記メール送信手段によって送信されたメールに対する返信メールであるか否かを判定することを特徴とする請求項６に記載の印刷装置。
【請求項８】  前記識別情報は、前記メールの本文中に含まれることを特徴とする請求項１〜７のいずれか１項に記載の印刷装置。
【請求項９】  ホームページを閲覧可能な外部装置と通信可能な印刷装置であって、
外部装置から印刷ジョブを受信するジョブ受信手段と、
前記ジョブ受信手段により受信された印刷ジョブを保持するジョブ保持手段と、
前記ジョブ保持手段により保持された印刷ジョブに関する情報を含んだホームページを外部装置に提供する提供手段と、
前記提供手段によって提供されたホームページを介して識別情報の入力を受け付ける識別情報受付手段と、
前記識別情報受付手段により受け付けられた識別情報を認証する認証手段と、
前記ジョブ保持手段により保持された印刷ジョブのうち、前記認証手段により認証された識別情報に対応する印刷ジョブの印刷を決定する決定手段とを備えたことを特徴とする印刷装置。
【請求項１０】  電子メールの送受信が可能な印刷装置を制御する印刷装置の制御方法であって、
印刷ジョブを受信するジョブ受信工程と、
前記ジョブ受信工程により受信された印刷ジョブに対応し、前記印刷ジョブを識別するための識別情報を含む送信メールを生成するメール生成工程と、
前記メール生成工程により生成された送信メールを特定の送信先に送信するメール送信工程と、
前記メール送信工程により送信された送信メールに対する返信メールを受信するメール受信工程と、
前記メール送信工程により送信された送信メールに含まれていた識別情報と前記メール受信工程により受信された返信メールに含まれている識別情報とが一致する場合、前記識別情報に対応する印刷ジョブの印刷を決定する決定工程とを有することを特徴とする印刷装置の制御方法。
【請求項１１】  前記特定の送信先は、前記印刷ジョブ中に含まれる情報に基づき定められることを特徴とする請求項１０に記載の印刷装置の制御方法。
【請求項１２】  前記特定の送信先は、携帯電話機のアドレスであることを特徴とする請求項１０または１１に記載の印刷装置の制御方法。
【請求項１３】  前記メール生成工程は、印刷ジョブ毎に異なる識別情報を設定した送信メールまたは前記特定の送信先毎に異なる識別情報を設定した送信メールの少なくとも１つを生成することを特徴とする請求項１０〜１２のいずれか１項に記載の印刷装置の制御方法。
【請求項１４】  前記メール生成工程によって前記特定の送信先毎に異なる識別情報を設定した送信メールが生成され、且つ前記メール受信工程によって前記送信先毎に異なる識別情報を設定した送信メールに対する返信メールを受信した場合、前記受信した返信メールに含まれる識別情報に対応する複数の印刷ジョブを出力する出力工程を有することを特徴とする請求項１０〜１３のいずれか１項に記載の印刷装置の制御方法。
【請求項１５】  前記メール受信工程によって受信された受信メールを解析して、前記受信メールが前記メール送信工程によって送信されたメールに対する返信メールであるか否かを判定する受信メール判定工程を有することを特徴とする請求項１０〜１４のいずれか１項に記載の印刷装置の制御方法。
【請求項１６】  前記受信メール判定工程は、前記受信メールの送信元を示す情報に、前記メール送信工程によって送信された前記特定の送信先を示す情報が含まれているか否かを判定することにより、前記メール送信工程によって送信されたメールに対する返信メールであるか否かを判定することを特徴とする請求項１５に記載の印刷装置の制御方法。
【請求項１７】  前記識別情報は、前記メールの本文中に含まれることを特徴とする請求項１０〜１６のいずれか１項に記載の印刷装置の制御方法。
【請求項１８】  ホームページを閲覧可能な外部装置と通信可能な印刷装置を制御する印刷装置の制御方法であって、
外部装置から印刷ジョブを受信するジョブ受信工程と、
前記ジョブ受信工程により受信された印刷ジョブを保持するジョブ保持工程と、
前記ジョブ保持工程により保持された印刷ジョブに関する情報を含んだホームページを外部装置に提供する提供工程と、
前記提供工程によって提供されたホームページを介して識別情報の入力を受け付ける識別情報受付工程と、
前記識別情報受付工程により受け付けられた識別情報を認証する認証工程と、
前記ジョブ保持工程により保持された印刷ジョブのうち、前記認証工程により認証された識別情報に対応する印刷ジョブの印刷を決定する決定工程とを有することを特徴とする印刷装置の制御方法。
【請求項１９】  電子メールの送受信が可能な印刷装置を制御する印刷装置の制御方法をコンピュータに実現させるための印刷装置の制御プログラムであって、
印刷ジョブを受信するジョブ受信モジュールと、
前記ジョブ受信モジュールにより受信された印刷ジョブに対応し、前記印刷ジョブを識別するための識別情報を含む送信メールを生成するメール生成モジュールと、
前記メール生成モジュールにより生成された送信メールを特定の送信先に送信するメール送信モジュールと、
前記メール送信モジュールにより送信された送信メールに対する返信メールを受信するメール受信モジュールと、
前記メール送信モジュールにより送信された送信メールに含まれていた識別情報と前記メール受信モジュールにより受信された返信メールに含まれている識別情報とが一致する場合、前記識別情報に対応する印刷ジョブの印刷を決定する決定モジュールとを有することを特徴とする印刷装置の制御プログラム。
【請求項２０】  ホームページを閲覧可能な外部装置と通信可能な印刷装置を制御する印刷装置の制御方法をコンピュータに実現させるための印刷装置の制御プログラムであって、
外部装置から印刷ジョブを受信するジョブ受信モジュールと、
前記ジョブ受信モジュールにより受信された印刷ジョブを保持するジョブ保持モジュールと、
前記ジョブ保持モジュールにより保持された印刷ジョブに関する情報を含んだホームページを外部装置に提供する提供モジュールと、
前記提供モジュールによって提供されたホームページを介して識別情報の入力を受け付ける識別情報受付モジュールと、
前記識別情報受付モジュールにより受け付けられた識別情報を認証する認証モジュールと、
前記ジョブ保持モジュールにより保持された印刷ジョブのうち、前記認証モジュールにより認証された識別情報に対応する印刷ジョブの印刷を決定する決定モジュールとを有することを特徴とする印刷装置の制御プログラム。
【手続補正３】
【補正対象書類名】明細書
【補正対象項目名】０００１
【補正方法】変更
【補正の内容】
【０００１】
【発明の属する技術の分野】
本発明は、セキュリティ確保のため特定のユーザにのみ印刷処理を許可するいわゆる「Secured Print機能」を有する印刷装置、該装置の制御方法及びプログラムに関する。
【手続補正４】
【補正対象書類名】明細書
【補正対象項目名】０００５
【補正方法】変更
【補正の内容】
【０００５】
本発明は上記従来技術の問題を解決するためになされたものであり、その目的は、簡単なハードウェア構成で、セキュリティの確保及び操作性の維持を図りつつ印刷を行うことができる印刷装置、該装置の制御方法及びプログラムを提供することにある。
【手続補正５】
【補正対象書類名】明細書
【補正対象項目名】０００６
【補正方法】変更
【補正の内容】
【０００６】
【課題を解決するための手段】
上記目的を達成するために本発明の請求項１の印刷装置は、電子メールの送受信が可能な印刷装置であって、印刷ジョブを受信するジョブ受信手段と、前記ジョブ受信手段により受信された印刷ジョブに対応し、前記印刷ジョブを識別するための識別情報を含む送信メールを生成するメール生成手段と、前記メール生成手段により生成された送信メールを特定の送信先に送信するメール送信手段と、前記メール送信手段により送信された送信メールに対する返信メールを受信するメール受信手段と、前記メール送信手段により送信された送信メールに含まれていた識別情報と前記メール受信手段により受信された返信メールに含まれている識別情報とが一致する場合、前記識別情報に対応する印刷ジョブの印刷を決定する決定手段とを備えたことを特徴とする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】変更
【補正の内容】
【００１４】
上記目的を達成するために本発明の請求項９の印刷装置は、ホームページを閲覧可能な外部装置と通信可能な印刷装置であって、外部装置から印刷ジョブを受信するジョブ受信手段と、前記ジョブ受信手段により受信された印刷ジョブを保持するジョブ保持手段と、前記ジョブ保持手段により保持された印刷ジョブに関する情報を含んだホームページを外部装置に提供する提供手段と、前記提供手段によって提供されたホームページを介して識別情報の入力を受け付ける識別情報受付手段と、前記識別情報受付手段により受け付けられた識別情報を認証する認証手段と、前記ジョブ保持手段により保持された印刷ジョブのうち、前記認証手段により認証された識別情報に対応する印刷ジョブの印刷を決定する決定手段とを備えたことを特徴とする。
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】変更
【補正の内容】
【００２１】
上記目的を達成するために本発明の請求項１０の印刷装置の制御方法は、電子メールの送受信が可能な印刷装置を制御する印刷装置の制御方法であって、印刷ジョブを受信するジョブ受信工程と、前記ジョブ受信工程により受信された印刷ジョブに対応し、前記印刷ジョブを識別するための識別情報を含む送信メールを生成するメール生成工程と、前記メール生成工程により生成された送信メールを特定の送信先に送信するメール送信工程と、前記メール送信工程により送信された送信メールに対する返信メールを受信するメール受信工程と、前記メール送信工程により送信された送信メールに含まれていた識別情報と前記メール受信工程により受信された返信メールに含まれている識別情報とが一致する場合、前記識別情報に対応する印刷ジョブの印刷を決定する決定工程とを有することを特徴とする。
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】変更
【補正の内容】
【００２９】
上記目的を達成するために本発明の請求項１８の印刷装置の制御方法は、ホームページを閲覧可能な外部装置と通信可能な印刷装置を制御する印刷装置の制御方法であって、外部装置から印刷ジョブを受信するジョブ受信工程と、前記ジョブ受信工程により受信された印刷ジョブを保持するジョブ保持工程と、前記ジョブ保持工程により保持された印刷ジョブに関する情報を含んだホームページを外部装置に提供する提供工程と、前記提供工程によって提供されたホームページを介して識別情報の入力を受け付ける識別情報受付工程と、前記識別情報受付工程により受け付けられた識別情報を認証する認証工程と、前記ジョブ保持工程により保持された印刷ジョブのうち、前記認証工程により認証された識別情報に対応する印刷ジョブの印刷を決定する決定工程とを有することを特徴とする。
【手続補正２９】
【補正対象書類名】明細書
【補正対象項目名】００３０
【補正方法】削除
【補正の内容】
【手続補正３０】
【補正対象書類名】明細書
【補正対象項目名】００３１
【補正方法】削除
【補正の内容】
【手続補正３１】
【補正対象書類名】明細書
【補正対象項目名】００３２
【補正方法】削除
【補正の内容】
【手続補正３２】
【補正対象書類名】明細書
【補正対象項目名】００３３
【補正方法】削除
【補正の内容】
【手続補正３３】
【補正対象書類名】明細書
【補正対象項目名】００３４
【補正方法】削除
【補正の内容】
【手続補正３４】
【補正対象書類名】明細書
【補正対象項目名】００３５
【補正方法】削除
【補正の内容】
【手続補正３５】
【補正対象書類名】明細書
【補正対象項目名】００３６
【補正方法】削除
【補正の内容】
【手続補正３６】
【補正対象書類名】明細書
【補正対象項目名】００３７
【補正方法】削除
【補正の内容】
【手続補正３７】
【補正対象書類名】明細書
【補正対象項目名】００３８
【補正方法】削除
【補正の内容】
【手続補正３８】
【補正対象書類名】明細書
【補正対象項目名】００３９
【補正方法】削除
【補正の内容】
【手続補正３９】
【補正対象書類名】明細書
【補正対象項目名】００４０
【補正方法】変更
【補正の内容】
【００４０】
上記目的を達成するために本発明の請求項１９の印刷装置の制御プログラムは、電子メールの送受信が可能な印刷装置を制御する印刷装置の制御方法をコンピュータに実現させるための印刷装置の制御プログラムであって、印刷ジョブを受信するジョブ受信モジュールと、前記ジョブ受信モジュールにより受信された印刷ジョブに対応し、前記印刷ジョブを識別するための識別情報を含む送信メールを生成するメール生成モジュールと、前記メール生成モジュールにより生成された送信メールを特定の送信先に送信するメール送信モジュールと、前記メール送信モジュールにより送信された送信メールに対する返信メールを受信するメール受信モジュールと、前記メール送信モジュールにより送信された送信メールに含まれていた識別情報と前記メール受信モジュールにより受信された返信メールに含まれている識別情報とが一致する場合、前記識別情報に対応する印刷ジョブの印刷を決定する決定モジュールとを有することを特徴とする。
【手続補正４０】
【補正対象書類名】明細書
【補正対象項目名】００４１
【補正方法】変更
【補正の内容】
【００４１】
上記目的を達成するために本発明の請求項２０の印刷装置の制御プログラムは、ホームページを閲覧可能な外部装置と通信可能な印刷装置を制御する印刷装置の制御方法をコンピュータに実現させるための印刷装置の制御プログラムであって、外部装置から印刷ジョブを受信するジョブ受信モジュールと、前記ジョブ受信モジュールにより受信された印刷ジョブを保持するジョブ保持モジュールと、前記ジョブ保持モジュールにより保持された印刷ジョブに関する情報を含んだホームページを外部装置に提供する提供モジュールと、前記提供モジュールによって提供されたホームページを介して識別情報の入力を受け付ける識別情報受付モジュールと、前記識別情報受付モジュールにより受け付けられた識別情報を認証する認証モジュールと、前記ジョブ保持モジュールにより保持された印刷ジョブのうち、前記認証モジュールにより認証された識別情報に対応する印刷ジョブの印刷を決定する決定モジュールとを有することを特徴とする。
【手続補正４１】
【補正対象書類名】明細書
【補正対象項目名】００４２
【補正方法】削除
【補正の内容】
【手続補正４２】
【補正対象書類名】明細書
【補正対象項目名】００４３
【補正方法】削除
【補正の内容】